(57)【要約】  【課題】  本発明は、番組の各シーンを特定する簡単なコードを生成することのできる放送信号受信装置を提供することを目的とする。  【解決手段】  デコーダ部１４において復号化して得られた映像信号及び音声信号を出力して番組の再生を行っているときに、シーン特定コード生成部２０において、現在再生されているシーンを特定するためのシーン特定コードを生成して出力することができる。【選択図】      図１
2008054180.tif 000002
【特許請求の範囲】
【請求項１】
放送信号を受信して復調するチューナ部と、該チューナ部で復調された放送信号を復号することで視聴可能とする再生用信号を出力するデコーダ部と、を備える放送信号受信装置において、
前記再生用信号によって再生されているシーンを特定する符号であるシーン特定コードを、前記放送信号を選局するチャンネルと特定するシーンの放送日時とに基づいて生成するシーン特定コード生成部を備えることを特徴とする放送信号受信装置。
【請求項２】
前記デコーダ部から前記再生用信号が出力されて、前記再生用信号によるシーンの再生が行われているときに、再生されるシーン毎に、前記シーン特定コード生成部による前記シーン特定コードの生成動作が行われることを特徴とする請求項１に記載の放送信号受信装置。
【請求項３】
前記デコーダ部から前記再生用信号が出力されて、前記再生用信号によるシーンの再生が行われているときに、現在再生されているシーンに対する前記シーン特定コードを生成することが指示されることで、前記シーン特定コード生成部による前記シーン特定コードの生成動作が行われることを特徴とする請求項１に記載の放送信号受信装置。
【請求項４】
前記チューナ部で復調された前記放送信号を記録する記録媒体と、
該記録媒体に対する書き込み及び読み出し制御を行う記録媒体制御部と、
を備え、
前記記録媒体に記録されている前記放送信号が前記デコーダ部に与えられることで前記再生用信号が出力されている場合に、前記シーン特定コード生成部で前記シーン特定コードを生成する際、特定する前記シーンの放送日時を、当該シーンを備えた番組の記録を開始した日時を示す当該番組の記録開始日時と、記録した該番組の先頭シーンから特定する前記シーンまでの相対時間とによって求めることを特徴とする請求項１〜請求項３いずれかに記載の放送信号受信装置。
【請求項５】
前記シーン特定コード生成部において、特定された前記番組の先頭シーンから特定する前記シーンまでの相対時間が、前記番組が前記記録媒体に記録されたビットレートに基づいて算出されることを特徴とする請求項４に記載の放送信号受信装置。
【請求項６】
前記シーン特定コードを解析することで、前記シーン特定コードによって特定される前記番組及び前記シーンを認識する前記シーン特定コード解析部を備え、
入力された前記シーン特定コードにより特定される前記番組及び前記シーンを前記シーン特定コード解析部が認識したとき、前記シーン特定コードにより特定される前記番組に対する前記放送信号が前記記録媒体に記録されている場合、前記記録媒体制御部によって前記シーン特定コードにより特定される前記シーンに対する前記放送信号を読み出して前記デコーダ部に与えることを特徴とする請求項４又は請求項５に記載の放送信号受信装置。
【請求項７】
外部の通信ネットワークと通信するためのインターフェースを備え、
前記シーン特定コード生成部で生成した前記シーン特定コードを、前記ネットワークを介して接続される他の通信装置に前記インターフェースから送信することを特徴とする請求項１〜請求項６のいずれかに記載の放送信号受信装置。
【請求項８】
前記インターフェースによって、前記シーン特定コードによって特定される前記シーンに関連する関連情報を、前記通信ネットワークを介して接続される他の通信装置より受信することを特徴とする請求項７に記載の放送信号受信装置。
【発明の詳細な説明】
【技術分野】
【０００１】
本発明は、テレビ放送などの放送信号を受信する放送信号受信装置に関するもので、特に放送信号による映像及び音声の再生や記録を行うことのできる放送信号受信装置に関する。
【背景技術】
【０００２】
近年、テレビ放送におけるデジタル化や光ファイバなどの高速回線を用いた高速通信の導入が進み、テレビ放送などを含む各種放送通信に対しても、インターネットなどを利用して多様なサービスが提供されつつある。このサービスの一つとして、番組のタイムテーブル（番組表）を情報化したＥＰＧ（Electronic Program Guide）を配布するサービスがある。ユーザ側では、このＥＰＧを受信した放送信号受信装置でＥＰＧによる番組表が表示されると、表示された番組表より所望の番組を選択して、録画予約又は再生を行うことができる（特許文献１参照）。
【０００３】
又、このようなＥＰＧによる番組表の配布サービスが提供される以前から、新聞や雑誌の番組表に番組とともに８桁までの数字コードで表記されたＧコード（登録商標）を放送信号受信装置に入力することにより、録画予約又は再生を簡単に行うサービスが提供されている。さらに、このＧコード（登録商標）をカメラなどの撮像装置で画像として取り込み、画像解析してコード認識を行うとともに、コード認識された数字コードより確定された番組の録画予約を行う携帯端末装置が提案されている（特許文献２参照）。
【特許文献１】特開２００６−８０８０１号公報
【特許文献２】特開２００５−２６０６７２号公報
【発明の開示】
【発明が解決しようとする課題】
【０００４】
このＥＰＧ及びＧコード（登録商標）によっては番組を特定することができるが、番組内の各シーンを特定するものではなかった。又、Ｇコード（登録商標）については、番組記録の予約を行うことを目的としたものであり、既に記録された番組を読み出すために使用されるものではなかった。そのため、従来は、既に記録した番組から所望のシーンを検索するために、「放送日、放送局、放送時刻」から特定した番組を早送り又はスキップ操作する必要があった。
【０００５】
それに対して、近年において、「放送日、放送局、シーンの放送開始時刻、放送終了時刻」がテキストで入力されて作成されたＸＭＬ（eXtensible Mark-up Language）形式のファイルが提供されている。しかしながら、このＸＭＬ形式のファイルを利用して、既に記録した番組から所望のシーンを読み出す記録装置においても、各シーンを特定するためのファイルを生成するためにテキスト入力を行う必要がある。
【０００６】
又、このＸＭＬ形式のファイル内のテキストを閲覧したユーザが所望のシーンを指定する「放送日、放送局、シーンの放送開始時刻、放送終了時刻」よりなるテキストを確認し、別の記録装置よりそのシーンを特定する場合においても、同様にテキスト入力を行う必要がある。このとき、リモートコントローラを利用する場合、テキスト入力するためのキーが必要となり、リモートコントローラが大型化してしまう。更に、シーンを特定するための入力動作が、ユーザにとって煩雑なものとなる。
【０００７】
このような問題を鑑みて、本発明は、番組の各シーンを特定する簡単なコードを生成することのできる放送信号受信装置を提供することを目的とする。
【課題を解決するための手段】
【０００８】
上記目的を達成するために、本発明の放送信号受信装置は、放送信号を受信して復調するチューナ部と、該チューナ部で復調された放送信号を復号することで視聴可能とする再生用信号を出力するデコーダ部と、を備える放送信号受信装置において、前記再生用信号によって再生されているシーンを特定する符号であるシーン特定コードを、前記放送信号を選局するチャンネルと特定するシーンの放送日時とに基づいて生成するシーン特定コード生成部を備えることを特徴とする。
【０００９】
このように構成することで、受信した放送信号より再生を行ったとき、装置内において、各シーンを特定するシーン特定コードを生成することができる。よって、生成したシーン特定コードを他のユーザに知らせることで、このシーン特定コードを用いて簡単に、特定されたシーンからの再生を行うことができる。尚、前記シーンは、１フレーム以上の複数フレームが連続して再生されるものであり、例えば、所定時間分連続して再生されるフレームを１シーンとする。又、前記シーン特定コードで特定される前記シーンとは、放送時刻などで特定された瞬間の１シーンを示す。更に、前記シーン特定コードは、前記シーンを特定するための情報であり、数値などによって表される。
【００１０】
上述の放送信号受信装置において、前記デコーダ部から前記再生用信号が出力されて、前記再生用信号によるシーンの再生が行われているときに、再生されるシーン毎に、前記シーン特定コード生成部による前記シーン特定コードの生成動作が行われるものとすることで、再生中の各シーン毎に前記シーン特定コードを生成することができる。これにより、再生しているシーンに対する前記シーン特定コードを共に表示することができる。よって、表示された前記シーン特定コードにより、現在再生中のシーンに対する前記シーン特定コードを認識することができる。
【００１１】
又、前記デコーダ部から前記再生用信号が出力されて、前記再生用信号によるシーンの再生が行われているときに、現在再生されているシーンに対する前記シーン特定コードを生成することが指示されることで、前記シーン特定コード生成部による前記シーン特定コードの生成動作が行われるものとしても構わない。これにより、ユーザが指定した所望のシーンに対して、前記シーン特定コードを生成することができ、生成した該シーン特定コードを表示するなどして、ユーザに認識させることができる。
【００１２】
又、上述の放送信号受信装置において、前記チューナ部で復調された前記放送信号を記録する記録媒体と、該記録媒体に対する書き込み及び読み出し制御を行う記録媒体制御部と、を備え、前記記録媒体に記録されている前記放送信号が前記デコーダ部に与えられることで前記再生用信号が出力されている場合に、前記シーン特定コード生成部で前記シーン特定コードを生成する際、特定する前記シーンの放送日時を、当該シーンを備えた番組の記録を開始した日時を示す当該番組の記録開始日時と、記録した該番組の先頭シーンから特定する前記シーンまでの相対時間とによって求めるものとしても構わない。又、前記相対時間は、前記番組の先頭シーンからの再生経過時間に相当するものである。
【００１３】
このように構成することで、前記記録媒体に記録した前記放送信号を再生しているときにおいても、同一番組における同一シーンに対して共通となる前記シーン特定コードを生成することができる。このとき、前記シーン特定コード生成部において、特定された前記番組の先頭シーンから特定する前記シーンまでの相対時間が、前記番組が前記記録媒体に記録されたビットレートに基づいて算出されるものとしても構わない。
【００１４】
又、前記シーン特定コードを解析することで、前記シーン特定コードによって特定される前記番組及び前記シーンを認識する前記シーン特定コード解析部を備え、入力された前記シーン特定コードにより特定される前記番組及び前記シーンを前記シーン特定コード解析部が認識したとき、前記シーン特定コードにより特定される前記番組に対する前記放送信号が前記記録媒体に記録されている場合、前記記録媒体制御部によって前記シーン特定コードにより特定される前記シーンに対する前記放送信号を読み出して前記デコーダ部に与えるものとしても構わない。
【００１５】
このようにすることで、前記シーン特定コードを用いることで、前記記録媒体に記録されている前記放送信号から、特定される前記シーンに対する前記放送信号の検索を簡単に行うことができる。これにより、ユーザは、前記シーン特定コードの入力のみで簡単に、前記シーンの再生を指示することができる。
【００１６】
更に、上述の放送信号受信装置において、外部の通信ネットワークと通信するためのインターフェースを備え、前記シーン特定コード生成部で生成した前記シーン特定コードを、前記通信ネットワークを介して接続される他の通信装置に前記インターフェースから送信するものとしても構わない。
【００１７】
このように構成することで、例えば、サーバなどに前記シーン特定コードをアップロードしたり、メールに前記シーン特定コードを添付して送信することで、他のユーザに前記シーン特定コードを認識させることができる。このとき、前記インターフェースによって、前記シーン特定コードによって特定される前記シーンに関連する関連情報を、前記通信ネットワークを介して接続される他の通信装置より受信するものとしても構わない。
【発明の効果】
【００１８】
本発明によると、シーンを特定するシーン特定コードを生成することができる。そのため、このシーン特定コードを利用することで、別の機器又は自機器に記録された放送信号より、特定したシーンを容易に検索することができる。
【発明を実施するための最良の形態】
【００１９】
本発明の実施の形態について、図面を参照して説明する。尚、本実施形態では、放送信号受信装置として、受信した番組を記録することができるハードディスクレコーダを例に挙げて説明する。図１は、本実施形態におけるハードディスクレコーダの内部構成を示すブロック図である。
【００２０】
図１のハードディスクレコーダ１は、全体を制御するＣＰＵ１１と、ＣＰＵ１１で処理されるプログラムや演算処理時に得られた一時的な演算結果を記録するメモリ１２と、受信した放送信号を所望のチャンネルで復調してＴＳ（Transport Stream）を得るチューナ部１３と、ＴＳをＭＰＥＧ２（Moving Picture Experts Group-2）方式などの符号化方式で復号化して映像信号と音声信号を生成するデコーダ部１４と、チューナ部１３で得られたＴＳを記録するハードディスクドライブ（ＨＤＤ）１５と、ＨＤＤ１５の記録制御を行うＨＤＤインターフェース（ＨＤＤ−ＩＦ）１６と、ユーザの直接入力が行われるユーザインターフェース（ユーザＩＦ）１７と、リモートコントローラ（リモコン）２と赤外線信号などによる無線通信を行うことでユーザの入力を確認するリモコン用インターフェース（リモコン用ＩＦ）１８と、ルータやモデムなどを介してインターネットと通信接続される通信用インターフェース（通信用ＩＦ）１９と、受信番組の各シーンを示すシーン特定コードを生成するシーン特定コード生成部２０と、現在時刻を計数するリアルタイムクロック（ＲＴＣ）２１と、シーン特定コードの解析を行うシーン特定コード解析部２２と、各ブロック間の信号のやりとりを行うためのバス回線２３と、を備える。
【００２１】
このような構成のハードディスクレコーダ１における各種動作について、以下に説明する。
【００２２】
（記録動作）
まず、ハードディスクレコーダ１による記録動作について、図２のフローチャートを参照して説明する。ユーザＩＦ１７の操作又はリモコン用ＩＦ１８によるリモコン２からの赤外線信号の受信によって、記録動作の開始が指示されると（ＳＴＥＰ１）、この記録動作の開始とともに指示された記録する番組のチャンネルがＣＰＵ１１で認識される（ＳＴＥＰ２）。そして、チューナ部１３で選局されるチャンネル周波数が所望されたチャンネルに応じたものに変更され、放送信号の受信動作が開始される。
【００２３】
このとき、ＲＴＣ２１において現在時刻及び日付が認識されて、記録開始時刻及び記録日が認識されると、この記録開始時刻及び記録日がＨＤＤ−ＩＦ１６に与えられる（ＳＴＥＰ３）。又、放送信号を受信するチューナ部１３では、所望されたチャンネルに応じたチャンネル周波数の放送信号の選局が開始されると、選局が所望されたチャンネル情報及び取得するＴＳのビットレートが、ＨＤＤ−ＩＦ１６に与えられる（ＳＴＥＰ４）。そして、ＨＤＤ−ＩＦ１６において、記録開始時刻及び記録日と、選局チャンネル及びビットレートとによって構成されるヘッダ情報が生成されて、チューナ部１３によって取得されるＴＳのヘッダ情報としてＨＤＤ１５に書き込まれる（ＳＴＥＰ５）。
【００２４】
このようにして、選局動作が開始されると、チューナ部１３では、選局した放送信号に対して、ＱＰＳＫ（Quadrature Phase Shift Keying）やＱＡＭ（Quadracture Amplitude Modulation）などの変調方式による復調を施すことにより、所望のチャンネルのＴＳを取得する（ＳＴＥＰ６）。この取得されたＴＳがＨＤＤ−ＩＦ１６に与えられると、ＨＤＤ−ＩＦ１６によってＨＤＤ１５に書き込まれる（ＳＴＥＰ７）。このようにしてＨＤＤ−ＩＦ１６でヘッダ情報が与えられたＴＳがＨＤＤ１５に書き込まれるとき、ＨＤＤ１５にＴＳが書き込まれた領域のアドレス情報が、メモリ１２内のアドレス情報テーブルに記録される（ＳＴＥＰ８）。
【００２５】
その後、ユーザＩＦ１７の操作又はリモコン用ＩＦ１８によるリモコン２からの赤外線信号の受信によって、記録動作の停止が指示されたか否かが確認される（ＳＴＥＰ９）。このとき、記録動作の停止の指示がない場合は（Ｎｏ）、ＳＴＥＰ６に移行してチューナ部１３で取得したＴＳの記録が続けられる。又、ＣＰＵ１１で記録動作の停止を認識すると（Ｙｅｓ）、チューナ部１３による受信動作及びＨＤＤ−ＩＦ１６によるＨＤＤ１５への書き込み動作が停止されて、記録動作が停止される（ＳＴＥＰ１０）。
【００２６】
尚、ユーザの指示により記録動作の開始及び停止が行われるものとしたが、予め番組の記録を予約された予約内容がメモリ１２に記録される場合も同様である。即ち、メモリ１２に記録された予約内容より記録開始時刻がＲＴＣ２１で認識される現在時刻と一致する番組を確認したとき、その番組のチャンネルに応じたチャンネル周波数を選局するようにチューナ部１３が設定され、記録動作が開始される。その後、メモリ１２に記録された予約内容より記録停止時刻がＲＴＣ２１で確認される現在時刻と一致することが確認されたとき、記録動作を停止させる。
【００２７】
（再生動作）
次に、ハードディスクレコーダ１による再生動作について説明する。ユーザＩＦ１７の操作又はリモコン用ＩＦ１８によるリモコン２からの赤外線信号の受信によって、再生動作の開始が指示されると、ＣＰＵ１１で再生が所望される番組が認識される。そして、メモリ１２に記録されたアドレス情報テーブルを参照することで、再生が所望された番組が記録されたＨＤＤ１５におけるアドレスが認識されて、ＨＤＤ−ＩＦ１６に対して、認識されたアドレスに記録されたＴＳをＨＤＤ１５より読み出すように指示する。
【００２８】
ＨＤＤ−ＩＦ１６は、ＣＰＵ１１で指定されたアドレスに記録されたＴＳをＨＤＤ１５より読み出すと、デコーダ部１４に与える。これにより、デコーダ部１４において、ＨＤＤ−ＩＦ１６より与えられたＴＳをＭＰＥＧ２などの圧縮符号化方式に基づいて復号化を行い、再生が所望される番組の映像信号と音声信号とを生成する。生成された映像信号及び音声信号がそれぞれ、ディスプレイ３及びスピーカ４に与えられることによって、ユーザに所望された番組の映像及び音声が再生される。
【００２９】
（シーン特定コード生成動作の第１例）
上述の再生動作が行われるとき、ユーザＩＦ１７の操作又はリモコン用ＩＦ１８によるリモコン２からの赤外線信号の受信によって、シーン特定コードの生成が指示されると、シーン特定コード生成部２０によって、現在再生されているシーンを特定するためのシーン特定コードが生成される。このシーン特定コードの生成動作の第１例について、図３のフローチャートを参照して説明する。
【００３０】
シーン特定コードの生成が指示されることをＣＰＵ１１が認識すると（ＳＴＥＰ１０１）、まず、シーン特定コード生成部２０が、現在再生中のシーンに対するＴＳのアドレス情報（シーンアドレス）と、再生しているＴＳの記録開始位置となるアドレス情報（記録開始アドレス）とを、メモリ１２のアドレス情報テーブルより認識する（ＳＴＥＰ１０２）。その後、シーン特定コード生成部２０は、現在再生されている番組のＴＳにおけるヘッダ情報より、番組の記録開始時刻、記録日、チャンネル情報、及びビットレートを認識する（ＳＴＥＰ１０３）。尚、ヘッダ情報は、再生が開始されたときに、ＨＤＤ１５より読み出されてメモリ１２に一時的に格納されるものとしても構わないし、ＨＤＤ１５より再び読み出されるものとしても構わない。
【００３１】
そして、ＳＴＥＰ１０３で認識された番組の記録開始時刻及びビットレートと、ＳＴＥＰ１０２で認識されたシーンアドレス及び記録開始アドレスとによって、ＣＰＵ１１が演算処理を行うことで、特定されている現在のシーンの放送時刻を求める（ＳＴＥＰ１０４）。このとき、シーン特定コード生成部２０では、例えば、以下の（１）式を利用することで現在のシーンの放送時刻を求めることができる。尚、（１）式では、シーンの放送時刻及び記録開始時刻をＴ、Ｔｓとし、シーンアドレス及び記録開始アドレスをＡ、Ａｓとし、ビットレートをｂｒとする。
Ｔ＝Ｔｓ＋（Ａ−Ａｓ）／ｂｒ  …（１）
【００３２】
このようにしてシーン放送時刻を求めると、シーン特定コード生成部２０によって、このシーン放送時刻と、ＳＴＥＰ１０３で認識したチャンネル情報及び記録日とによる特定のエンコード処理を行い、シーン特定コードの生成を行う（ＳＴＥＰ１０５）。生成されたシーン特定コードは、メモリ１２に一時的に記録された後（ＳＴＥＰ１０６）、デコーダ部１４に与えられて復号化された映像信号に合成されてディスプレイ３に与えられ、番組の映像と共にシーン特定コードのテキストが表示される（ＳＴＥＰ１０７）。尚、このシーン特定コードの表示については、ハードディスクレコーダ１自身が表示ディスプレイを備え、自機器のディスプレイに表示させるものとしても構わない。
【００３３】
そして、メモリ１２に一時的に記録されたシーン特定コードの送信の指示が成されたか否かが確認される（ＳＴＥＰ１０８）。このとき、デコーダ部１４によって、再生している番組の映像信号に、シーン特定コードの送信の可否を問う内容のテキスト情報とシーン特定コードのテキスト情報とを合成することで、ディスプレイ３に、シーン特定コードの送信の可否を問う内容のテキストを表示させる。そして、ユーザがユーザＩＦ１７及びリモコン２を操作することで、シーン特定コードの送信の可否が指定される。
【００３４】
このとき、特定コードの送信の指示がユーザによって成されたことを確認すると（Ｙｅｓ）、メモリ１２に一時的に格納されているシーン特定コードが、メールに添付される又はアップロードされるなどして、通信用ＩＦ１９より、特定サーバなどの特定の通信先に対して送信される（ＳＴＥＰ１０９）。その後、ＳＴＥＰ１０８でシーン特定コードの送信を行わないことが指示された場合（Ｎｏ）、又は、ＳＴＥＰ１０９でシーン特定コードの送信が行われたとき、ディスプレイ３におけるシーン特定コードの表示の停止が指示されたことの確認が行われる（ＳＴＥＰ１１０）。
【００３５】
ユーザＩＦ１７又はリモコン２が操作されてシーン特定コードの表示停止が指示されたことを認識すると（Ｙｅｓ）、シーン特定コードのＨＤＤ１５への記録を行うか否かの確認を行う（ＳＴＥＰ１１１）。尚、ユーザＩＦ１７又はリモコン２が操作されてシーン特定コードの表示停止が指示されるまで、ＳＴＥＰ１１０の確認が行われるが、番組の再生が停止されたときや、ハードディスクレコーダ１の電源がＯＦＦされることが指示されるときにおいても、ＳＴＥＰ１１１の動作に移行するものとしても構わない。
【００３６】
そして、ＳＴＥＰ１１１においては、デコーダ部１４によって、再生している番組の映像信号に、シーン特定コードの記録の可否を問う内容のテキスト情報とシーン特定コードのテキスト情報とを合成することで、ディスプレイ３に、シーン特定コードの記録の可否を問う内容のテキストを表示させる。そして、ユーザがユーザＩＦ１７及びリモコン２を操作することで、シーン特定コードの記録の可否が指定される。
【００３７】
ＳＴＥＰ１１１において、シーン特定コードの記録が指示されたことを認識すると（Ｙｅｓ）、ＨＤＤ−ＩＦ１６によって、再生されているシーンのアドレス情報にリンクさせる内容の情報と共に、ＨＤＤ１５の特定の領域にシーン特定コードが記録される（ＳＴＥＰ１１２）。その後、ＳＴＥＰ１１１において、シーン特定コードを記録しないことが指示されたとき（Ｎｏ）、ＳＴＥＰ１１２において、シーン特定コードの記録が終了したとき、メモリ１２に一時的に記録されたシーン特定コードを削除して（ＳＴＥＰ１１３）、動作を終了する。
【００３８】
本例によると、ユーザによるシーン特定コードの生成が指示されたときのみ動作することができる。これにより、ユーザが指定した所望のシーンに対して、シーン特定コードを生成して表示することで、ユーザに認識させることができる。又、通信用ＩＦ１９より送信する場合は、特定サーバへのアップロードや特定の通信先へのメール送信などが可能であり、又、ＨＤＤ１５に記録する場合は、次回からシーン特定コードの演算を行うことなく表示させることができる。
【００３９】
（シーン特定コード生成動作の第２例）
又、上述の第１例においては、シーン特定コードの生成が指示された後に、シーン特定コードの生成を行うものとしたが、本例においては、シーン再生中において常にシーン特定コードが生成されるものとする。このときのシーン特定コード生成動作について、図４のフローチャートを参照して説明する。尚、図４のフローチャートにおいて、図３のフローチャートと同一の動作を行うステップについては、同一の符号を付してその詳細な説明は省略する。
【００４０】
ユーザＩＦ１７又はリモコン２からユーザによる再生の指示が認識されると（ＳＴＥＰ２０１）、上述した番組の映像及び音声の再生動作と共に、再生されている各シーンについてのシーン特定コードの生成動作も行われる。よって、まず、番組の記録開始時刻、記録日、チャンネル情報、ビットレート、及び、記録開始アドレスをシーン特定コード生成部２０が一時的に記録する（ＳＴＥＰ２０２）。このとき、ＣＰＵ１１が、再生を開始する番組のＴＳのヘッダ情報より、番組の記録開始時刻、記録日、チャンネル情報、及びビットレートを認識するとともに、メモリ１２内のアドレス情報テーブルより記録開始アドレスを認識して、シーン特定コード生成部２０に与える。
【００４１】
そして、シーン特定コード生成部２０は、シーンアドレスをメモリ１２のアドレス情報テーブルより確認する（ＳＴＥＰ２０３）。その後、現在のシーンの放送時刻を求めて、シーン特定コードの生成を行った後、シーン特定コードをメモリ１２に一時的記録するとともに、デコーダ部１４に与えることでディスプレイ３に表示させる（ＳＴＥＰ１０４〜ＳＴＥＰ１０７）。そして、再生動作の終了が指示されたか否かがＣＰＵ１１によって確認される（ＳＴＥＰ２０４）。
【００４２】
このとき、ユーザＩＦ１７又はリモコン２によって再生動作の終了の指示がない場合（Ｎｏ）、シーン特定コードの取得を要求する指示がユーザによって成されたか否かが確認される（ＳＴＥＰ２０５）。そして、ユーザＩＦ１７又はリモコン２によってシーン特定コードの取得を要求する指示が成されたことをＣＰＵ１１が認識すると（Ｙｅｓ）、シーン特定コードの送信の指示が成されたか否かが確認され、送信の指示が成されると、シーン特定コードが通信用ＩＦ１９より送信される（ＳＴＥＰ１０８、ＳＴＥＰ１０９）。
【００４３】
その後、ディスプレイ３におけるシーン特定コードの表示の停止が指示されたことの確認が行われて、表示の停止が指示されると、シーン特定コードのＨＤＤ１５への記録を行うか否かの確認を行う（ＳＴＥＰ１１０、ＳＴＥＰ１１１）。そして、シーン特定コードの記録が指示されたことを確認すると（Ｙｅｓ）、ＨＤＤ１５の特定の領域にシーン特定コードが記録された後（ＳＴＥＰ１１２）、メモリ１２に一時的に記録したシーン特定コードを消去する（ＳＴＥＰ２０６）。又、ＳＴＥＰ１１１において、シーン特定コードを記録しないことが指示されたときは（Ｎｏ）、直接ＳＴＥＰ２０６に移行する。このように、ＳＴＥＰ２０６でシーン特定コードのメモリ１２からの消去を行うと、ＳＴＥＰ２０３に移行して、次のシーンに対するシーン特定コードの生成動作が成される。
【００４４】
又、ＳＴＥＰ２０５において、シーン特定コードの取得を要求する指示がない場合は（Ｎｏ）、ＣＰＵ１１において、次のシーンに切り替わったか否かが確認される（ＳＴＥＰ２０７）。このシーンの切り替わりについては、再生時間が所定時間経過することによって認識するものでも構わないし、再生したフレーム数が所定フレームとなったことによって認識するものでも構わない。そして、次のシーンに切り替わったことが認識されると、ＳＴＥＰ２０６に移行して、メモリ１２内のシーン特定コードを消去した後、ＳＴＥＰ２０３に移行して、次のシーンに対するシーン特定コードの生成動作が成される。更に、ＳＴＥＰ２０４において、再生動作の終了の指示を確認すると（Ｙｅｓ）、メモリ１２に一時的に記録されたシーン特定コードを削除して（ＳＴＥＰ１１３）、動作を終了する。
【００４５】
本例によると、現在再生中のシーンに対するシーン特定コードの生成を行うことができる。これにより、再生しているシーンに対する前記シーン特定コードを共に表示することができる。よって、表示されたシーン特定コードにより、ユーザが現在再生中のシーンに対するシーン特定コードを認識することができる。又、通信用ＩＦ１９より送信する場合は、特定サーバへのアップロードや特定の通信先へのメール送信などが可能であり、又、ＨＤＤ１５に記録する場合は、次回からシーン特定コードの演算を行うことなく表示させることができる。
【００４６】
（シーン特定コード生成動作の第３例）
更に、上述の第１例及び第２例においては、シーンの放送時刻を演算により獲得する際に、アドレス情報を用いて演算を行うものとしたが、本例においては、ＲＴＣ２１で計数される時刻を確認することで求めるものとする。このときのシーン特定コード生成動作について、図５のフローチャートを参照して説明する。尚、図５のフローチャートにおいて、図４のフローチャートと同一の動作を行うステップについては、同一の符号を付してその詳細な説明は省略する。
【００４７】
本例においては、第２例と同様、ユーザＩＦ１７又はリモコン２からユーザによる再生の指示が確認されると（ＳＴＥＰ２０１）、上述した番組の映像及び音声の再生動作と共に、再生されている各シーンについてのシーン特定コードの生成動作が行われるものとする。このとき、まず、シーン特定コード生成部２０が、ＲＴＣ２１より現在時刻を確認し、再生開始時刻として一時的に記録する（ＳＴＥＰ３０１）。その後、番組の記録開始時刻、記録日、及びチャンネル情報、ビットレートをシーン特定コード生成部２０が一時的に記録する（ＳＴＥＰ３０２）。このとき、ＣＰＵ１１が、再生を開始する番組のＴＳのヘッダ情報より、番組の記録開始時刻、記録日、及びチャンネル情報を認識して、シーン特定コード生成部２０に与える。
【００４８】
そして、シーン特定コード生成部２０は、ＲＴＣ２１より現在時刻を取得した後（ＳＴＥＰ３０３）、ＳＥＴＰ３０１で記録した再生開始時刻と、ＳＴＥＰ３０３で取得した現在時刻と、番組の記録開始時刻とによって、現在のシーンの放送時刻を求める（ＳＴＥＰ３０４）。このとき、シーン特定コード生成部２０では、例えば、以下の（２）式を利用することで現在のシーンの放送時刻を求めることができる。尚、（２）式では、シーンの放送時刻、記録開始時刻、再生開始時刻、及び現在時刻をＴ、Ｔｓ、Ｔ１、Ｔ２とする。
Ｔ＝Ｔｓ＋（Ｔ２−Ｔ１）  …（２）
【００４９】
その後、この放送時刻を利用してシーン特定コードの生成を行った後、シーン特定コードをメモリ１２に一時的記録するとともに、デコーダ部１４に与えることでディスプレイ３に表示させる（ＳＴＥＰ１０５〜ＳＴＥＰ１０７）。そして、再生動作の終了が指示されたか否かがＣＰＵ１１によって確認される（ＳＴＥＰ２０４）。このＳＴＥＰ２０４移行の動作については、ＳＴＥＰ３０６でシーン特定コードのメモリ１２の消去が行われた後、ＳＴＥＰ３０３に移行する以外の動作については、第２例と同様の動作が行われる。
【００５０】
本例によると、ＲＴＣ２１で計測される時刻に基づいてシーン特定コードの生成を行うことができる。これにより、上述の第１例及び第２例のように、再生のために読み出したＴＳのヘッダ情報などを用いて演算を行うことなく、現在のシーンの放送時刻の算出方法も単純な演算とすることができる。
【００５１】
尚、上述の３例のシーン特定コード生成動作において、ユーザによって指定されたシーンに対するシーン特定コードの表示を行っている際、映像及び音声の再生動作について、ユーザによって指定されたシーンで一時停止を行うものとしても構わないし、通常の再生動作を続けても構わない。通常の再生動作を続ける場合、上述の第２例及び第３例においては、シーン毎に切り替わっていたシーン特定コードの表示が、一時停止されることとなる。又、上述の第３例において、上述の第２例と同様、再生しているシーン毎にシーン特定コードが生成され、ユーザからの指示があるときに取得されるものとしたが、上述の第１例と同様、ユーザからの指示があるときのみシーン特定コードが生成されて取得されるものとしても構わない。
【００５２】
（シーン特定コード解析動作）
更に、上述のようにして得られるシーン特定コードが入力されて、シーン特定コードによって特定されるシーンからの再生を行う際の動作について、図６のフローチャートを参照して説明する。このとき、まず、シーン特定コードの入力が行われたことを、ＣＰＵ１１において認識する（ＳＴＥＰ４０１）。このシーン特定コードの入力は、ユーザＩＦ１７が操作されることで、直接入力されるものであっても構わないし、リモコン２からの赤外線信号をリモコン用ＩＦ１８が受信することで入力されるものであっても構わないし、通信用ＩＦ１９によってインターネットを介して取得したシーン特定コードが指定されることで入力されるものであっても構わない。
【００５３】
ＳＴＥＰ４０１でシーン特定コードの入力が認識されると、シーン特定コード解析部２２において、入力されたシーン特定コードが解析されて、特定されるシーンの放送時刻、チャンネル情報、及び放送日（この放送日は、記録時の記録日に相当する）が取得される（ＳＴＥＰ４０２）。そして、シーン特定コード解析部２２において、特定される放送時刻、チャンネル情報、及び放送日により、シーン特定コードによって特定されるシーンを有する番組が特定される（ＳＴＥＰ４０３）。このとき、例えば、予めＥＰＧを取得し、特定されたチャンネル情報と放送日における各番組の放送開始時刻及び放送終了時刻を確認する。そして、特定された放送時刻がその放送開始時刻及び放送終了時刻の間に存在する番組を確認することで、番組の特定が行われる。
【００５４】
ＳＴＥＰ４０３で番組が特定されると、特定された番組をＨＤＤ１５に記録しているか否かをＨＤＤ−ＩＦ１６を介して確認する（ＳＥＴＰ４０４）。このとき、ＨＤＤ１５に記録されている各番組の記録日、記録開始時刻、及びチャンネル情報が認識され、ＳＴＥＰ４０３で特定された番組の放送日及びチャンネル情報と記録日及びチャンネル情報が一致するとともに、ＳＴＥＰ４０３で特定された放送開始時刻及び放送終了時刻の間に記録開始時刻がある番組が記録されていることを認識することで、特定された番組のＨＤＤ１５内での有無を認識する。
【００５５】
そして、特定された番組がＨＤＤ１５内に記録されていることを確認した場合（Ｙｅｓ）、シーン特定コード解析部２２において、ＳＴＥＰ４０３で認識されたシーンの放送時刻と、ＳＴＥＰ４０４で認識された番組の放送開始時刻との関係に基づいて、特定されるシーンがＨＤＤ１５内で記録されるシーンアドレスを算出する（ＳＴＥＰ４０５）。
【００５６】
このとき、まず、特定された番組が記録されるＨＤＤ１５における記録開始アドレスがアドレス情報テーブルより認識される。そして、この番組に対するＴＳのヘッダ情報より記録開始時刻及びビットレートが認識され、以下の（３）式のような演算が行われることで、特定されるシーンが記録されるシーンアドレスが認識される。尚、（３）式では、シーンの放送時刻及び記録開始時刻をＴ、Ｔｓとし、シーンアドレス及び記録開始アドレスをＡ、Ａｓとし、ビットレートをｂｒとする。
Ａ＝Ａｓ＋（Ｔ−ＴＳ）×ｂｒ  …（３）
【００５７】
このようにして、特定されたシーンのシーンアドレスが算出されると、このシーンアドレスによって特定されるＨＤＤ１５内のアドレスに記録されたＴＳが、ＨＤＤ−ＩＦ１６によって読み出されて、特定されたシーンからの再生が行われる（ＳＴＥＰ４０６）。又、ＳＴＥＰ４０４において、特定された番組がＨＤＤ１５内に記録されていない場合は（Ｎｏ）、特定されたシーンを有する番組が記録されていないことをディスプレイ３などに表示することで、ユーザに報知して（ＳＴＥＰ４０７）、動作を終了する。
【００５８】
尚、ＳＴＥＰ４０３の番組の特定処理を行わずに、ＳＴＥＰ４０４において、ＨＤＤ１５内に記録される番組の記録日、チャンネル情報、記録開始時刻、及び記録終了時刻によって、シーン特定コードによって特定されるシーンを有する番組がＨＤＤ１５に記録されているか否かを確認するものとしても構わない。このとき、シーン特定コードによって特定されるシーンを有する番組の放送日及びチャンネル情報と、記録日及びチャンネル情報が一致するＨＤＤ１５内の番組について、その記録開始時刻及び記録終了時刻に放送時刻があるか否かを確認することで、ＨＤＤ１５内に特定された番組が記録されているか否かを確認する。
【００５９】
（シーン特定コードの第１例）
上述のようにして生成及び解析が行われるシーン特定コードの符号化方式の第１例を、以下に説明する。図７が、シーン特定コードを生成するための符号化動作を説明するフローチャートであり、図８が、シーン特定コードを解析するための復号化動作を説明するフローチャートである。尚、本例では、記録日として年月日のうち日にちのみを利用するものとし、チャンネルが０１〜９９で表されるものとする。又、シーンの切り替わりがΔ秒ごと行われるものとする。即ち、例えば、３秒ごとにシーンが切り替わるものとすると、１日に切り替わるシーンが、２４時間×６０分×６０秒／３秒＝２８８００シーンとなる。
【００６０】
まず、本例におけるシーン特定コード生成部２０の符号化動作について説明する。図７のフローチャートに示すように、まず、記録日（Ｄ）から１だけ減算することで、記録日を００〜３０の値によってなる数値（Ｄ−１）に変換する（ＳＴＥＰ５０１）。この記録日から変換された値（Ｄ−１）に対して、定数Ｘ１（３秒ごとのシーン切換の例では、２８８００００）を乗算して、記録日による変数値α（＝Ｘ１×（Ｄ−１））を算出する（ＳＴＥＰ５０２）。尚、この係数Ｘ１は、一日に切り替わるシーンのＳｘシーンとするとともに、チャンネルの表す値の桁数がＮ桁であるものとすると、Ｘ１＝Ｓｘ×１０Nと表される。
【００６１】
次に、チャンネル（Ｃ）に対して、定数Ｘ２（３秒ごとのシーン切換の例では、２８８００）を乗算して、チャンネルによる変数値β（＝Ｘ２×Ｃ）を算出する（ＳＴＥＰ５０３）。尚、この係数Ｘ２は、一日に切り替わるシーンのＳｘシーンであるとき、Ｘ２＝Ｓｘと表される。そして、放送時刻（Ｈ時  Ｍ分  Ｓ秒）を秒単位に切り換えた後、シーンの切換時間Δ秒で除算することで、シーン数による変数値γ（＝（Ｈ×３６００＋Ｍ×６０＋Ｓ）／Δ）を算出する（ＳＴＥＰ５０４）。最後に、各変数値α、β、γを加算することによって、シーン特定コードＳＣ（＝α＋β＋γ）を取得する（ＳＴＥＰ５０５）。
【００６２】
例えば、記録日が「４日」、チャンネルが「８」、放送時刻が「１２時３４分１５秒」の場合、まず、ＳＴＥＰ５０１により、４−１＝３が求められた後、ＳＴＥＰ５０２により、α＝３×２８８００００＝８６４００００が求められる。そして、ＳＴＥＰ５０３により、β＝８×２８８００＝２３０４００が求められるとともに、ＳＴＥＰ４０５により、γ＝（１２×３６００＋３４×６０＋１５）／３＝１５０８５が求められる。そして、求めたα、β、γを加算することで、その値ＳＣが「８８８５４８４」となるシーン特定コードが得られる。
【００６３】
次に、本例におけるシーン特定コード解析部２２の復号化動作について説明する。図８のフローチャートに示すように、シーン特定コードＳＣが与えられると、まず、定数Ｘ１で除算を行い（ＳＴＥＰ６０１）、得られた商に１を加算することで、放送日（Ｄ）を取得する（ＳＴＥＰ６０２）。そして、ＳＴＥＰ６０１の除算において得られた余りβ＋γ（＝ＳＣ−α）に対して定数Ｘ２で除算を行うことで、得られた商よりチャンネル（Ｃ）を獲得する（ＳＴＥＰ６０３）。更に、ＳＴＥＰ６０３の除算において得られた余りγ（＝ＳＣ−α−β）に対して切換時間Δ秒を乗算して秒単位で表された時刻を取得した後（ＳＴＥＰ６０４）、「時間、分、秒」によって表される時刻に変換することで、放送時刻（Ｈ時  Ｍ分  Ｓ秒）を取得する（ＳＴＥＰ６０５）。
【００６４】
例えば、値ＳＣ＝８８８５４８５となるシーン特定コードに対して、ＳＴＥＰ６０１において、Ｘ１＝２８８００００で除算することで得られた商「３」に、ＳＴＥＰ６０２で「１」を加算することで、放送日「４日」が得られる。そして、ＳＴＥＰ６０３で、ＳＴＥＰ６０１での除算の余りβ＋γに相当する２４５４８５に対して、Ｘ２＝２８８００で除算することで得られた商「８」より、チャンネル「８」が得られる。最後に、ＳＴＥＰ６０４で、ＳＴＥＰ６０３での除算の余りγに相当する１５０８５に対して切換時間３秒を除算して、短単位の時刻「４５２５５」を取得すると、これをＳＴＥＰ６０５で変換することで、放送時刻「１２時３４分１５秒」が得られる。
【００６５】
（シーン特定コードの第２例）
上述の第１例においては、放送日の年月日のうち、日にちのみをシーン特定コードの符号化の対象としたが、本例のように、年月日について行うものとしても構わない。このとき、例えば、年月を別の上位の桁の符号とするとともに、上述の、日にちとチャンネルと放送時刻とによる符号を下位の桁の符号として組み合わせて得られる符号を、シーン特定コードとしても構わない。
【００６６】
そして、年月については、例えば、２０００〜２０９９年の１００年分を対象とする場合、年の下二桁に１３を乗算したものに、月を加算することで、年月による上位の桁の符号が生成できる。即ち、２０１６年１０月の場合、２０１６年の下二桁１６に１３を乗算することで、２０８という値を得て、これに、月の１０を加算することで、２１８という符号が生成できる。そして、上述した、日にちとチャンネルと放送時刻による符号が「８８８５４８５」となる場合、シーン特定コードが、「２１８−８８８５４８５」のように組み合わせることで、放送年月も特定することができる。
【００６７】
（シーン特定コードの第３例）
又、Ｇコード（商標登録）に基づいてシーン特定コードを生成しても構わない。即ち、例えば、Ｇコード（登録商標）にシーン放送時刻を表す情報を追加することで、シーン特定コードを生成するものとしても構わない。このとき、Ｇコード（商標登録）によって特定される番組の放送開始時刻とシーン放送時刻との差を秒数で表した符号を、Ｇコード（商標登録）による符号とは別の桁に追加するものとしても構わない。
【００６８】
更に、Ｇコード（商標登録）によって指定される放送開始時刻を、特定シーン開始時刻に置換するとともに、Ｇコード（商標登録）によって指定される録画時間を、特定シーン開始時刻を補正する補正情報に置換するものとしても構わない。このとき、特定シーン開始時刻に補正情報による時間を加算して補正することで、特定シーンの正確な放送時刻を取得することができる。尚、Ｇコード（商標登録）で指定される録画時間は、５分刻みで最大４８０分まで指定できるため、９６通りの情報とすることができる。よって、３．１２５秒刻みの補正情報に置換すると、最大３００秒（＝５分）だけ補正することができ、Ｇコード（商標登録）によって指定される放送開始時刻も５分刻みの情報とすることができる。
【００６９】
又、上述の各例のようにして、放送日、チャンネル、及び放送時刻によって構成されるシーン特定コードに対して、更に、シーンの再生時間を示す情報となるシーン再生時間情報を付加するようにしても構わない。このとき、このシーン再生時間情報を符号の別の桁にすることで抽出可能な状態としても構わないし、上述の例と同様にして組み合わせるものとしても構わない。更に、シーン特定コードのシーンを特定する情報として、放送時刻を利用するものとしたが、番組の何番目のシーンであるかを特定する情報であれば、放送時刻以外の情報を利用しても構わない。
【００７０】
（チャプタと関連づけた場合の動作例）
又、上述のようにしてシーン特定コードの生成及び解析が行われることで、所望のシーンに対する特定が行われるとき、本実施形態では、ユーザによって特定されたシーンに対してシーン特定コードが生成されるものとした。しかしながら、ＨＤＤ１５に記録された番組が、シーン切換点やコマーシャルの開始／終了点を示すチャプタポイントと共に記録されているとき、このチャプタポイントと関連づけてシーン特定コードを生成するものとしても構わない。
【００７１】
このとき、例えば、シーン特定コード生成部２０において、特定されたシーンの放送時刻と、このシーン直前に再生されたチャプタポイントのシーンの放送時刻との差が、所定時間以内である場合、この直近となるチャプタポイントを示すシーン特定コードを生成するものとしても構わない。これにより、ユーザによって特定されたシーンを含むチャプタを指定するシーン特定コードが生成されるため、このシーン特定コードに基づいて再生したとき、特定されたシーンの内容を把握しやすくなる。尚、ユーザが特定したシーン直近のチャプタポイントによるシーン特定コードに変換して符号化するか、又は、ユーザが特定したシーンを表したシーン特定コードに符号化するのかを選択できるようにしても構わない。
【００７２】
逆に、シーン特定コード解析部２２において、入力されたシーン特定コードを解析することで認識したシーンの放送時刻直前となるチャプタポイントを検索して、検索したチャプタポイントの放送時刻とシーン特定コードで特定されたシーンの放送時刻との差が、所定時間以内である場合に、検索したチャプタポイントから再生するようにしても構わない。尚、シーン特定コードにより特定されるシーンからの再生を行うか、又は、シーン特定コードにより特定されるシーン直前のチャプタポイントから再生するかを選択できるようにしても構わない。
【００７３】
尚、本実施形態において、ハードディスクレコーダを代表とする放送信号記録再生装置を例に挙げて説明したが、シーン特定コードを生成する機能のみを利用するものである場合は、放送信号を受信するチューナ部を備えているテレビなどの放送信号再生装置にシーン特定コード生成部を備えるものとすることでも、実現できる。又、放送信号記録再生装置においては、シーン特定コード解析部のみを備えて、入力されたシーン特定コードによるシーンを認識して再生する機能のみを備えるものとしても構わない。
【００７４】
更に、本実施形態におけるシーン特定コードを用いた各実施例について、以下に説明する。
【実施例１】
【００７５】
本例では、図９に示すように、ハードディスクレコーダ１ａがインターネットと接続されて、シーン特定コードを添付したメールの送信が可能である構成とする。このとき、ハードディスクレコーダ１ａを利用するユーザＵａがシーンを特定するための入力を行ったとき、ハードディスクレコーダ１ａにより、特定したシーンを示すシーン特定コードが生成される。そして、このシーン特定コードを添付したメールがインターネットを介してハードディスクレコーダ１ａから、ハードディスクレコーダ１ｂの利用者であるユーザＵｂの利用するメールサーバ５に送信する。
【００７６】
ユーザＵｂは、携帯電話やパーソナルコンピュータなどのインターネットと接続可能な通信端末６を利用することで、メールサーバ５に格納されたメールを受信すると、受信したメールを閲覧して、このメールに添付されたシーン特定コードを認識する。そして、メールを閲覧することで認識したシーン特定コードを、ハードディスクレコーダ１ｂに入力することで、ハードディスクレコーダ１ｂによって、シーン特定コードで特定されるシーンからの再生が行われる。
【００７７】
本例によると、ハードディスクレコーダ１ａによってメールで自動的にシーン特定コードをユーザＵｂに通知することができる。そして、通知されたシーン特定コードをハードディスクレコーダ１ｂに入力することで、ユーザＵｂがシーン特定コードによって特定されるシーンを簡単に再生することができる。
【実施例２】
【００７８】
本例では、図１０で示すように、ユーザＵａ，Ｕｂ間で電話通信を行い、音声によりユーザ特定コードの伝達が行われるものとする。このとき、ハードディスクレコーダ１ａを利用するユーザＵａがシーンを特定するための入力を行ったとき、ハードディスクレコーダ１ａにより、特定したシーンを示すシーン特定コードが生成されて、表示される。そして、表示されたシーン特定コードを認識したユーザＵａがユーザＵｂに電話することで、音声によりシーン特定コードの伝達を行う。よって、ユーザＵｂが電話により伝えられたシーン特定コードをハードディスクレコーダ１ｂに入力することで、ハードディスクレコーダ１ｂによって、シーン特定コードで特定されるシーンからの再生が行われる。
【００７９】
尚、本実施例においては、ユーザＵａ，Ｕｂの間で電話通信によりシーン特定コードが伝達されるものとしたが、例えば、企業によってシーン特定コードが掲載された葉書をユーザＵｂが受け取ることで認識するものとしても構わない。このとき、葉書に掲載されたシーン特定コードがユーザＵｂによって認識され、ハードディスクレコーダ１ｂに入力されて再生される。更に、このシーン特定コードをバーコードで表示し、バーコード入力により認識されたシーン特定コードを解析することで、再生するシーンを認識することができるものとしても構わない。
【００８０】
本例によると、ユーザＵａ，Ｕｂ間で、各種媒体を利用したシーン特定コードの通信が行われることで、シーン特定コードの通知を行うことができる。そして、通知されたシーン特定コードをハードディスクレコーダ１ａ，１ｂに入力することで、シーン特定コードによって特定されるシーンを簡単に再生することができる。
【実施例３】
【００８１】
本例では、図１１で示すように、シーン特定コード生成部２０を備えたサーバ６を備えた構成とし、サーバ６によって管理されるサイトのホームページＨ１を記録するデータベース７には、サーバ６によって生成されたシーン特定コードと、このシーン特定コードによって特定されるシーンの関連情報とが記録される。尚、シーンの関連情報として、そのシーンを視聴した個人のコメントや、そのシーンに表示される各商品や人物に関する情報が閲覧できるサイトのＵＲＬなどが記録される。
【００８２】
このとき、インターネットと接続可能なハードディスクレコーダ１ａのユーザＵａが、関連情報の取得したいシーンを特定する入力を行うと、ハードディスクレコーダ１ａによってシーン特定コードが生成されて、サーバ６に送信される。これにより、サーバ６では、受信したシーン特定コードによって特定されるシーンの関連情報を、データベース７より読み出して、ハードディスクレコーダ１ａに送信する。よって、ハードディスクレコーダ１ａでは、ユーザＵａによって特定されたシーンの関連情報が、そのシーンと合成されて再生される。このとき、例えば、再生される関連情報にＵＲＬが含まれ、このＵＲＬがユーザＵａによって指定されると、指定されたＵＲＬのホームページを表示することができる。
【００８３】
又、サーバ５によって管理されるサイトのホームページＨ１には、サーバ５で生成されたシーン特定コードと、このシーン特定コードによって特定されるシーンの関連情報が掲載されている。そして、ハードディスクレコーダ１ｂの利用者であるユーザＵｂが、通信端末６を利用することで、サーバ５によって管理されるサイトのホームページＨ１を閲覧することで、掲載されているシーン特定コードを認識する。そして、ホームページＨ１を閲覧することで認識したシーン特定コードを、ハードディスクレコーダ１ｂに入力することで、ハードディスクレコーダ１ｂによって、シーン特定コードで特定されるシーンからの再生が行われる。
【００８４】
本例によると、シーン特定コードをサーバ５に送信することで、シーン特定コードによって特定されるシーンの関連情報をハードディスクレコーダ１ａが受信して再生することで、ユーザが所望するシーンに対する関連情報を知ることができる。又、ホームページＨ１を閲覧することでシーン特定コードを簡単に認識して、ハードディスクレコーダ１ｂに認識したシーン特定コードを入力することで、簡単に所望のシーンを再生させることができる。
【実施例４】
【００８５】
本例では、図１２で示すように、全ての番組を記録したデータベース８を備えるサーバ９がインターネット上に存在し、このサーバ９がシーン特定コード解析部２２を備える構成であるものとする。このとき、ユーザＵａがハードディスクレコーダ１ａにシーン特定コードを入力したとき、そのシーン特定コードによって特定されるシーンを含む番組がＨＤＤ１５に記録されていない場合、サーバ９に対して、入力されたシーン特定コードを送信する。
【００８６】
これに対して、サーバ９では、ハードディスクレコーダ１ａから受信したシーン特定コードをシーン特定コード解析部２２で解析して、シーン特定コードによって特定されるシーンを認識する。そして、認識したシーンからの再生がハードディスクレコーダ１ａで可能となるように、認識したシーンのＴＳから順に、終了が指示されるまで、認識したシーンを備える番組のＴＳをデータベース８より読み出して、ハードディスクレコーダ１ａに送信する。
【００８７】
これにより、ハードディスクレコーダ１ａでは、シーン特定コードによって特定されたシーンからのＴＳを受信し、特定されたシーンからの再生を行うことができる。尚、サーバ９から受信したＴＳは、ＨＤＤ１５に一時的に再生中のみ記録されるものとしても構わないし、再生後もＨＤＤ１５に記録されるものとしても構わない。
【００８８】
尚、本例において、データベース８に記録されるＴＳにおいて、異なる放送時刻の重複シーンに関するＴＳについては、最近に放送されたシーンのＴＳのみが記録されるものとしても構わない。このとき、重複するシーンに対する各放送時刻のシーン特定コードと、そのシーンが記録されるデータベース８でのアドレス情報とを記録したテーブルによって、各シーン特定コードによる重複するシーンの管理を行う。
【００８９】
本例によると、ハードディスクレコーダ１ａにシーン特定コードで特定されたシーンとなるＴＳを記録していなくても、サーバ９にシーン特定コードを送信することで、サーバ９により認識されたシーン特定コードで特定されるシーンとなるＴＳが、サーバ９から送信される。よって、ハードディスクレコーダ１ａにシーン特定コードで特定されたシーンとなるＴＳを記録していなくても、このＴＳをサーバ９から受信して再生することができる。
【産業上の利用可能性】
【００９０】
本発明は、ハードディスクレコーダやＤＶＤレコーダなどの放送信号記録再生装置、及び、テレビ放送受信機を含む放送信号受信装置に利用可能である。
【図面の簡単な説明】
【００９１】
【図１】は、本発明の放送信号受信装置の一例となるハードディスクレコーダの構成を示すブロック図である。
【図２】は、図１のハードディスクレコーダの記録動作を示すフローチャートである。
【図３】は、図１のハードディスクレコーダのシーン特定コード生成動作の第１例を示すフローチャートである。
【図４】は、図１のハードディスクレコーダのシーン特定コード生成動作の第２例を示すフローチャートである。
【図５】は、図１のハードディスクレコーダのシーン特定コード生成動作の第３例を示すフローチャートである。
【図６】は、図１のハードディスクレコーダのシーン特定コード解析動作を示すフローチャートである。
【図７】は、シーン特定コードの符号化動作を示すフローチャートである。
【図８】は、シーン特定コードの復号化動作を示すフローチャートである。
【図９】は、本発明の実施形態における放送信号受信装置を利用した実施例１を説明するための図である。
【図１０】は、本発明の実施形態における放送信号受信装置を利用した実施例２を説明するための図である。
【図１１】は、本発明の実施形態における放送信号受信装置を利用した実施例３を説明するための図である。
【図１２】は、本発明の実施形態における放送信号受信装置を利用した実施例４を説明するための図である。
【符号の説明】
【００９２】
１    ハードディスクレコーダ
２    リモコン
３    ディスプレイ
４    スピーカ
１１    ＣＰＵ
１２    メモリ
１３    チューナ部
１４    デコーダ部
１５    ＨＤＤ
１６    ＨＤＤ−ＩＦ
１７    ユーザＩＦ
１８    リモコン用ＩＦ
１９    通信用ＩＦ
２０    シーン特定コード生成部
２１    ＲＴＣ
２２    シーン特定コード解析部
２３    バス回線
【図１】
2008054180.tif 000003
【図２】
2008054180.tif 000004
【図３】
2008054180.tif 000005
【図４】
2008054180.tif 000006
【図５】
2008054180.tif 000007
【図６】
2008054180.tif 000008
【図７】
2008054180.tif 000009
【図８】
2008054180.tif 000010
【図９】
2008054180.tif 000011
【図１０】
2008054180.tif 000012
【図１１】
2008054180.tif 000013
【図１２】
2008054180.tif 000014